(57)【要約】【課題】  電話機をリンガする際のリンガノイズに起因するＳ／Ｎの悪化を抑制する。【解決手段】  ＣＰＵ部１２は、電話機がリンガしている時にＡＤＳＬ回線のリンクアップ状態を監視し、リンクアップ状態にエラーが多発する場合にリンガ電源生成部２０を介してリンガ電圧を低下させる。これにより、リンガ波形のスイッチングノイズが抑制される。したがって、Ｓ／Ｎが改善することにより、ＡＤＳＬのリンクアップ品質が向上する。特に、交換局から遠い場所に位置し回線品質の悪い状態でＡＤＳＬモデム１０を使用している場合に、効果が大きい。換言すると、電話機をリンガする際のリンガノイズは、ＡＤＳＬ回線でのＳ／Ｎの悪化を引き起こす。そこで、リンガ中にリンクアップ時のエラーが多ければ、リンガ電圧を低下させる。リンガ電圧が低くなれば、それに伴うリンガノイズも小さくなるので、リンクアップ時のエラーが減る。【選択図】  図１
2006129374.tif 000002
【特許請求の範囲】
【請求項１】
ＡＤＳＬ回線と電話機との間に設けられＶＯＩＰ機能を有するＡＤＳＬモデムにおいて、
前記電話機へリンガ電圧を供給するとともに当該リンガ電圧の可変機能を有するリンガ電圧生成手段と、
前記電話機のリンガを検出するとともに前記ＡＤＳＬ回線のリンクアップ時のエラーを検出し、前記電話機のリンガ中に前記リンクアップ時のエラーが多ければ、前記リンガ電圧生成手段を介して前記リンガ電圧を低下させるリンガ電圧制御手段と、
を備えたことを特徴とするＡＤＳＬモデム。
【請求項２】
前記リンガ電圧生成手段は、前記リンガ電圧として複数の電圧値を有し、
前記リンガ電圧制御手段は、前記エラーの量に応じて前記複数の電圧値のいずれかを選択する、
請求項１記載のＡＤＳＬモデム。
【請求項３】
前記リンガ電圧生成手段は、前記リンガ電圧の生成停止機能を有し、
前記リンガ電圧制御手段は、前記電話機のリンガを検出しない時に、前記リンガ電圧生成手段を介して前記リンガ電圧の生成を停止させる、
請求項１又は２記載のＡＤＳＬモデム。
【請求項４】
ＡＤＳＬ回線と電話機との間に設けられＶＯＩＰ機能を有するＡＤＳＬモデムに用いられるリンガ電圧制御方法において、
前記電話機のリンガを検出するとともに前記ＡＤＳＬ回線のリンクアップ時のエラーを検出し、
前記電話機のリンガ中に前記リンクアップ時のエラーが多ければ、前記電話機へ供給するリンガ電圧を低下させる、
ことを特徴とするリンガ電圧制御方法。
【請求項５】
前記電話機のリンガ中に前記リンクアップ時のエラーが多ければ、当該エラーの量に応じて複数の電圧値のいずれかを選択することにより、前記電話機へ供給するリンガ電圧を低下させる、
請求項４記載のリンガ電圧制御方法。
【請求項６】
前記電話機のリンガを検出しない時に、前記リンガ電圧の生成を停止させる、
請求項４又は５記載のリンガ電圧制御方法。
【発明の詳細な説明】
【技術分野】
【０００１】
本発明は、ＶＯＩＰ（Voice Over Internet Protocol）機能付きのＡＤＳＬ（Asymmetric Digital Subscriber
Line）モデム等に関する。
【背景技術】
【０００２】
ＡＤＳＬモデムとは、コンピュータをＡＤＳＬ回線に接続する際に必要になる信号変換機のことである。電話回線でデータ通信をするときに使うモデムに役割が似ていることから、このように呼ばれている。ＡＤＳＬモデムの働きは、公衆回線網を通じて受信したＡＤＳＬ信号をＥｔｈｅｒｎｅｔ（１０ＢＡＳＥ−Ｔ）信号に変換したり、その逆にＥｔｈｅｒｎｅｔ信号をＡＤＳＬ信号に変換して公衆回線網へ送信したりすることである。ＡＤＳＬモデムとコンピュータとの間はＥｔｈｅｒｎｅｔ
ＬＡＮでつながれる。
【０００３】
一方、ＶＯＩＰとは、ＩＰ（Internet Protocol）ネットワークを利用して音声信号を送る技術の総称である。ＶＯＩＰでは、ディジタル符号化した音声信号を一定の時間ごとに区切ってパケット化して、ＩＰデータグラムで運ぶ。そのため、回線使用効率が高いＩＰネットワークを使うことにより、長距離電話料金を安くできるという利点がある。
【０００４】
図４は、従来のＶＯＩＰ機能付きＡＤＳＬモデムを示すブロック図である。以下、図４に基づき説明する。なお、ＩＦＣとはインタフェースの略称である。
【０００５】
従来のＶＯＩＰ機能付きＡＤＳＬモデム３０は、ＡＤＳＬ制御部３５、ＣＰＵ部３６、ＬＡＮ制御部３７、コーデック（ＣＯＤＥＣ）３８、電源生成部３９、リンガ波形生成部４０、ＳＬＩＣ（Subscriber Line Interface Circuit）４１等から構成されている。また、ＡＤＳＬモデム３０には、ＡＤＳＬ ＩＦＣ３１、ＬＡＮ
ＩＦＣ３２、ＡＣ電源３３、電話機ＩＦＣ３４等が接続されている。
【０００６】
ＡＤＳＬ ＩＦＣ３１は、ＡＤＳＬ回線を介して局側と接続される。ＡＤＳＬ制御部３５は、ＡＤＳＬ信号を制御及び終端し、データ信号をＣＰＵ部３６に対して送受信する。ＣＰＵ部３６は、ＡＤＳＬ制御部３５とＬＡＮ制御部３７とコーデック３８との間で、データを送受信する。ＳＬＩＣ４１は、電話機ＩＦＣ３４を介して既存の電話機（アナログ端末機器）とのＩＦＣを実現している。音声信号は、アナログ−ディジタルの変換を行うコーデック３８を介してＳＬＩＣ４１に出力される。ディジタル信号は、ＬＡＮ制御部３７及びＬＡＮ
ＩＦＣ３２を介してパソコン等のディジタル端末機器に対するデータ送受信に用いられる。
【０００７】
電話機ＩＦＣ３４に供給される給電電圧及びリンガ電圧は、ＡＣ電源３３を基に電源生成部３９で常時作成される。給電電圧は電源生成部３９からＳＬＩＣ４１へ出力される。リンガ波形は、電源生成部３９で作成されたリンガ電圧を基にリンガ波形生成部４０で作成され、ＳＬＩＣ４１へ出力される。また、リンガ波形生成部４０では、リンガ電圧を基に２０Ｈｚのリンガ波形を常時生成しＳＬＩＣ４１に供給している。電話機ＩＦＣ３４に接続された電話機をリンガする場合、ＣＰＵ部３６は、リンガ波形を電話機ＩＦＣ３４に出力するように、設定Ｃを用いてＳＬＩＣ４１へ通知する。すると、ＳＬＩＣ４１は、電話機ＩＦＣ３４を介して電話機にリンガ波形を出力する。
【０００８】
また、特許文献１には、次のようなＡＤＳＬモデムが開示されている。そのＡＤＳＬモデムは、ＡＤＳＬの回線状態及びＡＤＳＬ回線を経由した経路を監視し、回線及び経路の障害を検出した場合に、自動又は手動により公衆網を経由した経路へ切り替えることにより、ＡＤＳＬ回線経路をバックアップするものである。このとき、ＡＤＳＬの回線障害及びＡＤＳＬ回線を経由した経路の障害の検出には、ＡＤＳＬモデムのリンク状態の監視と、ＡＴＭ（Asynchronous Transfer Mode）のＯＡＭ（Operation, Administration and
Maintenance）セルの故障管理ＯＭＡセルであるＡＩＳ，ＲＤＩ，ＬＢの監視とが用いられる。
【０００９】
【特許文献１】特開２００４−２０１２４６号公報
【発明の開示】
【発明が解決しようとする課題】
【００１０】
しかしながら、従来のＡＤＳＬモデム３０では、次のような問題があった。
【００１１】
（１）．電話機ＩＦＣ３４に接続された電話機へのリンガ（鳴動）が有ると、リンガのスイッチングノイズがＡＤＳＬ制御部３５に入り込むことにより、ＡＤＳＬ回線のＳ／Ｎが悪化する。その結果、通信エラーが多発してＡＤＳＬ回線のリンクが切断されたり、ＡＤＳＬ回線の通信レイトが悪化したりする。この問題は、交換局から遠い場所に位置し回線品質の悪い状態でＡＤＳＬモデム３０を使用している場合に、特に顕著に起こる。
【００１２】
（２）．電話機ＩＦＣ３４に接続された電話機へのリンガが無い場合でも、電源生成部３９によってリンガ電圧が常に生成されている。そのため、電源生成部３９から電源スイッチングノイズがＡＤＳＬ制御部３５に入り込み、ＡＤＳＬ回線の通信品質に悪影響をあたえる。
【００１３】
（３）．電話機ＩＦＣ３４に接続された電話機へのリンガが無い場合でも、電源生成部３９によってリンガ電圧が常に生成されている。そのため、無駄な消費電流が発生したり、ＡＤＳＬモデム３０の発熱がアップしたりする。
【００１４】
そこで、本発明の目的は、電話機をリンガする際のリンガノイズに起因するＳ／Ｎの悪化を抑制するとともに、電話機をリンガしない際のＳ／Ｎの悪化や無駄な消費電力を抑制する、ＡＤＳＬモデム等を提供することにある。
【課題を解決するための手段】
【００１５】
本発明に係るＡＤＳＬモデムは、ＡＤＳＬ回線と電話機との間に設けられＶＯＩＰ機能を有するとともに、リンガ電圧生成手段及びリンガ電圧制御手段を備えたことを特徴とする。リンガ電圧生成手段は、電話機へリンガ電圧を供給するとともに、そのリンガ電圧の可変機能を有する。リンガ電圧制御手段は、電話機のリンガを検出するとともにＡＤＳＬ回線のリンクアップ時のエラーを検出し、電話機のリンガ中にリンクアップ時のエラーが多ければ、リンガ電圧生成手段を介してリンガ電圧を低下させる。
【００１６】
電話機をリンガする際のリンガノイズは、ＡＤＳＬ回線でのＳ／Ｎの悪化を引き起こす。そこで、リンガ中にリンクアップ時のエラーが多ければ、リンガ電圧を低下させる。リンガ電圧が低くなれば、それに伴うリンガノイズも小さくなるので、リンクアップ時のエラーが減る。
【００１７】
また、リンガ電圧生成手段は、リンガ電圧として複数の電圧値を有し、リンガ電圧制御手段は、エラーの量に応じて複数の電圧値のいずれかを選択する、としてもよい。更に、リンガ電圧生成手段は、リンガ電圧の生成停止機能を有し、リンガ電圧制御手段は、電話機のリンガを検出しない時に、リンガ電圧生成手段を介してリンガ電圧の生成を停止させる、としてもよい。この場合、電話機をリンガしない時、リンガ電圧の生成が停止する。したがって、電源スイッチングノイズや無駄な消費電力が抑えられる。
【００１８】
本発明に係るリンガ電圧制御方法は、ＡＤＳＬ回線と電話機との間に設けられＶＯＩＰ機能を有するＡＤＳＬモデムに用いられる。まず、電話機のリンガを検出するとともに、ＡＤＳＬ回線のリンクアップ時のエラーを検出する。そして、電話機のリンガ中にリンクアップ時のエラーが多ければ、電話機へ供給するリンガ電圧を低下させる。このとき、電話機のリンガ中にリンクアップ時のエラーが多ければ、エラーの量に応じて複数の電圧値のいずれかを選択することにより、電話機へ供給するリンガ電圧を低下させる、としてもよい。また、電話機のリンガを検出しない時に、リンガ電圧の生成を停止させる、としてもよい。
【００１９】
換言すると、本発明は、ＶＯＩＰ機能を有する端末側ＡＤＳＬモデムにおいて、ＡＤＳＬモデムがそれ自身の動作状態や局側モデムとのリンクアップ状態を判断することにより、電話機ＩＦＣへ出力するリンガ電圧を最適な値に自動的に設定することを特徴とする。つまり、ＣＰＵ部がＡＤＳＬ回線の通信品質や電話機ＩＦＣの状態を監視し、リンガ電源生成部を制御してリンガ電圧を抑制したり、リンガ電圧生成を止めたりする制御を実行する。
【発明の効果】
【００２０】
本発明によれば、電話機のリンガ中にＡＤＳＬ回線のリンクアップ時のエラーが多ければ、電話機へ供給するリンガ電圧を低下させることにより、リンガノイズも小さくなるので、リンクアップ時のエラーが減る。また、電話機のリンガを検出しない時に、リンガ電圧の生成を停止させることにより、電源スイッチングノイズや消費電力が抑えられる。したがって、電話機をリンガする際のリンガノイズに起因するＳ／Ｎの悪化を抑制できるとともに、電話機をリンガしない際のＳ／Ｎの悪化や無駄な消費電力を抑制できる。
【発明を実施するための最良の形態】
【００２１】
図１は、本発明に係るＶＯＩＰ機能付きＡＤＳＬモデムの一実施形態を示すブロック図である。以下、図１に基づき説明する。なお、図１において、図４と同じ部分は同じ符号を付す。
【００２２】
ＡＤＳＬモデム１０は、ＡＤＳＬ制御部１１、ＣＰＵ部１２、ＬＡＮ制御部３７、コーデック３８、ＳＬＩＣ４１、給電電源生成部１３、リンガ電源生成部２０、リンガ波形生成部４０等から構成されている。また、ＡＤＳＬモデム１０には、ＡＤＳＬ
ＩＦＣ３１、ＬＡＮ ＩＦＣ３２、ＡＣ電源３３、電話機ＩＦＣ３４等が接続されている。特許請求の範囲における「リンガ電圧生成手段」はリンガ電源生成部２０、リンガ波形生成部４０及びＳＬＩＣ４１の機能の一部として実現されている。同じく「リンガ電圧制御手段」は、ＡＤＳＬ制御部１１及びＣＰＵ部１２の機能の一部として実現されている。
【００２３】
ＡＤＳＬ ＩＦＣ３１はＡＤＳＬ回線を介して局側のＡＤＳＬモデムと接続される。ＡＤＳＬ制御部１１は、ＡＤＳＬ信号の制御及び終端を行い、データ信号や回線通信品質を通知するエラー情報ＥをＣＰＵ部１２と送受信する。ＣＰＵ部１２は、ＡＤＳＬ制御部１１、ＬＡＮ制御部３７、コーデック３８及びリンガ電源生成部２０を制御する。ＬＡＮ
ＩＦＣ３２は、パソコン等のＬＡＮインタフェースを実現する。電話機ＩＦＣ３４に出力される音声信号は、アナログとディジタルとの変換を行うコーデック３８を経て、ＳＬＩＣ４１を介して出力される。ＳＬＩＣ４１は、電話機ＩＦＣ３４を介して既存の電話機とのＩＦＣを実現する。
【００２４】
電話機ＩＦＣ３４に給電される電圧は、ＡＣ電源３３の出力電圧を基に給電電源生成部１３及びリンガ電源生成部２０で作成される。リンガ波形は、リンガ波形生成部４０で生成されＳＬＩＣ４１に入力される。ＣＰＵ部１２は、ＡＤＳＬ制御部１１からのエラー情報Ｅと電話機ＩＦＣ３４に接続された電話機の状態とに基づき、リンガ電源生成部２０で生成するリンガ電圧の最適値を総合的に判断し、設定Ａ，Ｂを使用してリンガ電源生成部２０に通知する。リンガ電源生成部２０は、設定Ａ，Ｂの値によって定められたリンガ電圧に変更する。ＬＡＮ制御部３７及びＬＡＮＩＦＣ３２については、当業者にとってよく知られており、また本発明とは直接関係しないので、その詳細な構成は省略する。
【００２５】
このようにして、ＣＰＵ部１２は、ＡＤＳＬ制御部１１からのエラー情報Ｅと電話機ＩＦＣ３４に接続された電話機の状態とを把握し、ＡＤＳＬモデム１０の現状に見合った最適なリンガ電圧に自動的に設定することができる。
【００２６】
次に、ＡＤＳＬ制御部１１は、どのようにしてリンクアップ状態を監視し、どのようにして送受信データのエラー発生状況やエラー補正状況を把握するのかについて、更に詳しく説明する。
【００２７】
１．１ＭＨｚ帯域を使用したフルレートのＡＤＳＬでは、上りと下りで周波数帯域が分けられ、上りで4.3125ｋＨｚ幅のサブキャリアが２６個あり、下りで4.3125ｋＨｚ幅のサブキャリアが２２３個ある。これらの各サブキャリアに何ビットの情報を積むことができるかで、伝送速度が決まる。遠距離になるほどノイズ分が多くなるので、ビットを積むことができなくなる。
【００２８】
このサブキャリアの中の一つに、ＰＩＬＯＴトーン用のキャリアがある。ＰＩＬＯＴトーンとは、ＡＤＳＬモデムがリンクアップする際に、交換局とどれくらいの距離があって、どのモードで接続するか、を決定（判断）するためのキャリアである。つまり、ＡＤＳＬモデムは距離によって接続するモードを切り替えている。ＡＤＳＬモデムは、リンクアップする際に相手とトレーニングする必要があり、その際にこのＰＩＬＯＴトーンを見ている。そして、このＰＩＬＯＴトーンが検出できなかったり、トレーニングでシーケンス通りに動作しなかったりした場合に、ＡＤＳＬ制御部１１はリンクアップ不可と判断する。
【００２９】
また、ＡＤＳＬ制御部１１は、ＡＤＳＬを終端する高機能なＬＳＩ（チップ）と言える。つまり、トレーニングやエラー制御（演算処理）などは、全てこのチップが実施してくれる。その結果がチップ内のレジスタに入っており、ＣＰＵ部１２はそのレジスタを読み取ることにより、今リンクアップしているのか否か、あるいはどのようなエラーがどのように発生しているかを見ることができる。レジスタの内容は、ＡＤＳＬモデムで使用するチップの種類ごとに異なる。
【００３０】
次に、ＣＰＵ部１２は、電話機の状態をどのように入力し、どのような状態を良いと判断し、どのような状態を悪いと判断するのか、について更に詳しく説明する。
【００３１】
電話機をリンガしたり、電話機にＢＴ（ビジートーン）を送出したり、電話機のＯＦＦ
ＨＯＯＫ（受話器を取った状態）を検出したりするのは、基本的にＡＤＳＬモデム１０の動作である。したがって、電話機の状態はＣＰＵ部１２が制御しており、電話機の状態もＣＰＵ部１２は当然わかっている。電話機をリンガした時や、電話機をＯＦＦ
ＨＯＯＫした瞬間に、ＡＤＳＬモデム１０内の電流が電話機側に多く流れてＡＤＳＬモデム１０内のノイズが増大し、ＡＤＳＬ回線部のエラーが増えることが悪い状態である。本実施形態では、このエラーが増えるのを抑えるために、リンガ（１６Ｈｚかつ２００Ｖの正弦波）する際の直流電圧を抑える。
【００３２】
図２は、本実施形態におけるリンガ時の設定値を示す図表である。図３は、本実施形態におけるリンガ電源生成部２０の一具体例を示す回路図である。以下、図１乃至図３に基づき説明する。
【００３３】
図２は、ＣＰＵ部１２からリンガ電源生成部２０に対して通知するリンガ電圧設定値の一例である。設定Ａと設定Ｂとの信号の組み合わせ値により、生成するリンガ電圧が決められる。
【００３４】
図３に示すように、リンガ電源生成部２０は、例えばデコーダ２１、直流安定化電源２２、スイッチ２３〜２６等から構成されている。デコーダ２１は、例えば２進−１０進デコーダであり、入力した設定Ａ，Ｂの値に基づき、四本の出力端子のいずれか一本から例えばＨレベル信号を出力する。直流安定化電源２２は、交流電圧を入力して直流電圧を出力する一般的なものであり、１８０Ｖ，２１０Ｖ，２３０Ｖの出力端子を有する。スイッチ２３〜２６は、電磁リレー又は半導体スイッチからなる。スイッチ２３は、例えばＨレベル信号が印加されたときにのみ接点を開く。スイッチ２４〜２６は、例えばＨレベル信号が印加されたときにのみ接点を閉じる。
【００３５】
設定Ａ，Ｂが（０，０）のときは、スイッチ２３の接点が開くことにより、直流安定化電源２２へ供給される交流電圧が遮断される。設定Ａ，Ｂが（０，１）のときは、スイッチ２３，２４の接点のみが閉じることにより、直流安定化電源２２から２３０Ｖが出力される。設定Ａ，Ｂが（１，０）のときは、スイッチ２３，２５の接点のみが閉じることにより、直流安定化電源２２から２１０Ｖが出力される。設定Ａ，Ｂが（１，１）のときは、スイッチ２３，２６の接点のみが閉じることにより、直流安定化電源２２から１８０Ｖが出力される。
【００３６】
次に、図１に基づきＡＤＳＬモデム１０の動作を説明する。
【００３７】
ＡＤＳＬ制御部１１は、ＡＤＳＬ ＩＦＣ３１を介して局側とリンクアップし、対向側ＡＤＳＬモデムに対してデータを送受信する。また、ＡＤＳＬ制御部１１は、局側とのリンクアップ状態を常に監視し、送受信データのエラー発生状況やエラー補正状況を常に把握している。ＡＤＳＬ制御部１１は、送受信データをＣＰＵ部１２と送受信するとともに、エラー情報Ｅを使用してＡＤＳＬ回線のリンクアップ状況をＣＰＵ部１２に通知する。
【００３８】
ＣＰＵ部１２は、ＡＤＳＬ制御部１１とＬＡＮ制御部３７とコーデック３８との間でデータを送受信する。このとき、ディジタル信号については、ＬＡＮ制御部３７及びＬＡＮ
ＩＦＣ３２を介してパソコン等の端末とデータを送受信する。音声信号については、コーデック３８、ＳＬＩＣ４１及び電話機ＩＦＣ３４を介して、電話機に対してデータを送受信する。
【００３９】
電話機ＩＦＣ３４に対しては、データの送受信以外に直流電圧を供給する必要がある。つまり、給電電圧は、ＡＣ電源３３を基に給電電源生成部で生成されＳＬＩＣ４１に供給される。また電話機ＩＦＣ３４に接続された電話機のベルを鳴らすリンガ電圧は、リンガ電源生成部２０で作成され、リンガ波形生成部４０で２０Ｈｚのリンガ波形に変えられ、ＳＬＩＣ４１に供給される。
【００４０】
電話機ＩＦＣ３４に接続された電話機をリンガする必要がない場合、ＣＰＵ部１２は、設定Ａ，Ｂの信号を用いてリンガ電源生成部２０に対してリンガ電圧を０Ｖにするよう通知する。リンガ電源生成部２０は、ＣＰＵ部１２からの設定Ａ，Ｂの状態に基づきリンガ電圧を０Ｖに設定する。
【００４１】
電話機ＩＦＣ３４に接続された電話機をリンガする場合、ＣＰＵ部１２は、設定Ａ，Ｂを用いてリンガ電源生成部２０に対してリンガ電圧を２３０Ｖにするように通知する。リンガ電源生成部２０は、ＣＰＵ部１２からの設定Ａ，Ｂの状態に基づき、リンガ電圧を直流の２３０Ｖに設定する。リンガ波形生成部４０は、リンガ電源生成部２０で作成された直流の２３０Ｖを２０Ｈｚの正弦波からなるリンガ波形に変換し、これをＳＬＩＣ４１に供給する。ＳＬＩＣ４１は、電話機ＩＦＣ３４を介して電話機にリンガ波形を出力する。
【００４２】
ＣＰＵ部１２は、ＡＤＳＬ回線のリンクアップ状態をエラー情報Ｅを用いて監視し、リンガ中にエラーが多く発生する場合、設定Ａ，Ｂを用いてリンガ電源生成部２０に対してリンガ電圧を２３０Ｖから２１０Ｖに下げるように通知する。リンガ電源生成部２０は、ＣＰＵ部１２からの設定Ａ，Ｂの状態に基づきリンガ電圧を直流の２１０Ｖに変更する。リンガ波形生成部４０は、リンガ電源生成部２０で作成された直流の２１０Ｖを２０Ｈｚの正弦波からなるリンガ波形に変換し、これをＳＬＩＣ４１に供給する。ＳＬＩＣ４１は、電話機ＩＦＣ３４を介して電話機にリンガ波形を出力する。
【００４３】
続いて、ＣＰＵ部１２は、ＡＤＳＬ回線のリンクアップ状態をエラー情報Ｅを用いて監視し、リンガ中にエラーが多く発生する場合、設定Ａ，Ｂを用いてリンガ電源生成部２０に対してリンガ電圧を２１０Ｖから１８０Ｖに下げるように通知する。リンガ電源生成部２０は、ＣＰＵ部１２からの設定Ａ，Ｂの状態に基づき、リンガ電圧を直流の１８０Ｖに変更する。リンガ波形生成部４０は、リンガ電源生成部２０で作成された直流の１８０Ｖを２０Ｈｚの正弦波からなるリンガ波形に変換し、これをＳＬＩＣ４１に供給する。ＳＬＩＣ４１は、電話機ＩＦＣ３４を介して電話機にリンガ波形を出力する。
【００４４】
以上説明したように、本実施形態のＡＤＳＬモデム１０によれば、以下の効果を奏する。
【００４５】
（１）．ＣＰＵ部１２は、電話機がリンガしている時にＡＤＳＬ回線のリンクアップ状態を監視し、リンクアップ状態にエラーが多発する場合に、リンガ電源生成部２０を介してリンガ電圧を低下させる。これにより、リンガ波形のスイッチングノイズが抑制される。したがって、Ｓ／Ｎが改善することにより、ＡＤＳＬのリンクアップ品質が向上する。特に、交換局から遠い場所に位置し回線品質の悪い状態でＡＤＳＬモデム１０を使用している場合に、効果が顕著になる。
【００４６】
（２）．電話機ＩＦＣ３４に接続された電話機のリンガが無い場合は、リンガ電圧の生成を止める。そのため、リンガ電源生成部２０及びリンガ波形生成部４０での電源スイッチングノイズがＡＤＳＬモデム１０に入り込むことが無いので、ＡＤＳＬのリンクアップ品質が向上する。
【００４７】
（３）．電話機ＩＦＣ３４に接続された電話機のリンガが無い場合は、リンガ電源の生成を止める。そのため、リンガ電源生成部２０及びリンガ波形生成部４０での消費電流の低減が図れる。
【図面の簡単な説明】
【００４８】
【図１】本発明に係るＶＯＩＰ機能付きＡＤＳＬモデムの一実施形態を示すブロック図である。
【図２】本実施形態におけるリンガ時の設定値を示す図表である。
【図３】本実施形態におけるリンガ電源生成部の一具体例を示す回路図である。
【図４】従来のＶＯＩＰ機能付きＡＤＳＬモデムを示すブロック図である。
【符号の説明】
【００４９】
１０  ＡＤＳＬモデム
１１  ＡＤＳＬ制御部
１２  ＣＰＵ部
１３  給電電源生成部
２０  リンガ電源生成部
３１  ＡＤＳＬ ＩＦＣ
３２  ＬＡＮ ＩＦＣ
３３  ＡＣ電源
３４  電話機ＩＦＣ
３７  ＬＡＮ制御部
３８  コーデック
４０  リンガ波形生成部
４１  ＳＬＩＣ
【図１】
2006129374.tif 000003
【図２】
2006129374.tif 000004
【図３】
2006129374.tif 000005
【図４】
2006129374.tif 000006